(57)【要約】【課題】ホウレンソウ等の抽苔を抑止することができる長日開花植物の開花抑制装置およびその方法を提供することである。【解決手段】ホウレンソウ抽苔抑止装置１００においては、照明装置１０が計時手段により計時され、所定の時間毎に点灯および消灯を繰り返すように制御装置３００により制御される。そして、照明装置１０により日の入りから日の出までの間において、ホウレンソウに対して主に青色波長を有する光が発光される。【選択図】図１
2007252211.tif 000002
【特許請求の範囲】
【請求項１】
長日開花植物に対して主に青色波長を有する光を発光する照明装置と、
時刻を計時する計時手段と、
前記照明装置を、前記計時手段により計時される所定の時間毎に点灯状態および消灯状態を繰り返すように制御する点滅制御装置と、を備えたことを特徴とする長日開花植物の開花抑制装置。
【請求項２】
前記点滅制御装置は、
日の入りから日の出までの間において前記照明装置を所定の時間毎に点灯状態および消灯状態を繰り返すように制御することを特徴とする請求項１記載の長日開花植物の開花抑制装置。
【請求項３】
前記点滅制御装置は、
前記照明装置の点灯状態および消灯状態を所定の時間比率で繰り返すように制御することを特徴とする請求項１または請求項２記載の長日開花植物の開花抑制装置。
【請求項４】
前記所定の時間比率は、１対１であることを特徴とする請求項３記載の長日開花植物の開花抑制装置。
【請求項５】
前記所定の時間比率は、１対２であることを特徴とする請求項３記載の長日開花植物の開花抑制装置。
【請求項６】
前記点滅制御装置は、
前記照明装置を１秒毎に点灯状態および消灯状態を繰り返すように制御することを特徴とする請求項１または請求項２記載の長日開花植物の開花抑制装置。
【請求項７】
前記点滅制御装置は、
前記照明装置を１秒点灯状態にさせた後、２秒消灯状態にさせる工程を繰り返すように制御することを特徴とする請求項１または請求項２記載の長日開花植物の開花抑制装置。
【請求項８】
前記照明装置は、
主に波長４００ｎｍ以上４５０ｎｍ以下の光の強度が強く、波長６５０ｎｍ以上７００ｎｍ以下の光の強度が弱い光を照射することを特徴とする請求項１から請求項６のいずれか１項に記載の長日開花植物の開花抑制装置。
【請求項９】
日の入りから日の出までの間において、長日開花植物に対して主に青色波長を有する光を所定の時間毎に点灯および消灯を繰り返して照射することを特徴とする長日開花植物の開花抑制方法。
【発明の詳細な説明】
【技術分野】
【０００１】
本発明は、葉茎菜類、特にホウレンソウ等の長日開花植物の開花抑制装置およびその方法に関する。
【背景技術】
【０００２】
従来、葉茎菜類、特にホウレンソウ等の長日開花植物は、長日下で花がさくこと、いわゆる抽苔（とうだい、又はちゅうだいと呼ばれる。）する特性を持っており、抽苔してしまうと商品にならないという問題があった。
【０００３】
例えば、抽苔に関して特許文献１には、植物の開花促進剤として有用である天然型アブシジン酸の利用に関するものが開示されている。この特許文献１記載によれば、天然型アブシジン酸を種子や球根あるいは植物体に処理することによって、麦・野菜 ・球根類・花卉類などの低温による花芽形成および抽苔・開花（春化）を促進することができる。
【０００４】
また、特許文献２には、低温に遭遇させなくても花芽分化する特性を有するリモニウム（Ｌｉｍｏｎｉｕｍ）属に属する新規な植物について開示されている。この特許文献２記載の新規な植物においては、低温に遭遇させなくても花芽分化、抽苔させ、開花させることができる。
【０００５】
【特許文献１】特願平１１-２２５５４１号公報
【特許文献１】特開２００５-３０４４４６号公報
【発明の開示】
【発明が解決しようとする課題】
【０００６】
しかしながら、上記特許文献１および特許文献２記載の方法や植物においては、抽苔を促進させる方向についての発明であり、抽苔を抑止させる発明については、何ら開示されていない。
【０００７】
特に、長日開花植物の中でも代表的なホウレンソウに関しては、当業者間で夏場等の日中時間が長い場合に、抽苔しやすくなる特性を持つため、夏場の収穫時期が短くなって栽培に高度な経験と技術とが必要となることが知られている。
【０００８】
本発明の目的は、ホウレンソウ等の抽苔を抑止することができる長日開花植物の開花抑制装置およびその方法を提供することである。
【課題を解決するための手段及び効果】
【０００９】
（１）
本発明に係る長日開花植物の開花抑制装置は、長日開花植物に対して主に青色波長を有する光を発光する照明装置と、時刻を計時する計時手段と、照明装置を、計時手段により計時される所定の時間毎に点灯状態および消灯状態を繰り返すように制御する点滅制御装置とを備えたものである。
【００１０】
本発明に係る長日開花植物の開花抑制装置においては、照明装置が計時手段により計時され、所定の時間毎に点灯状態および消灯状態を繰り返すように点滅制御装置により制御される。そして、照明装置により長日開花植物に対して主に青色波長を有する光が発光される。
【００１１】
この場合、長日開花植物に対して青色波長を有する光を断続的に照射させることにより、長日開花植物の花がさくこと（抽苔すること）を抑止することができる。その結果、夏場等の日中時間が長い場合においても、抽苔しにくくなるため、長日開花植物の収穫時期が長くなり、栽培に高度な経験と技術とが不要となる。
【００１２】
（２）
点滅制御装置は、日の入りから日の出までの間において照明装置を所定の時間毎に点灯状態および消灯状態を繰り返すように制御してもよい。
【００１３】
この場合、日の入りから日の出までの間において照明装置から長日開花植物に所定の波長の光が照射されるので、太陽光による影響がない状態で、長日開花植物に対して当該所定の波長の光による刺激を効率良く与えることができる。なお、日の入りおよび日の出は、計時手段により計時してもよい。また、日の出および日の入りを検知する装置、例えば、フォトトランジスタおよびＥＥスイッチ（自動点滅装置）等をさらに備えてもよい。
【００１４】
（３）
点滅制御装置は、照明装置の点灯状態および消灯状態を所定の時間比率で繰り返すように制御してもよい。
【００１５】
この場合、所定の時間比率で繰り返すようにすることで、長日開花植物に刺激を与えての開花を抑制させることができる。例えば、時間比率は、整数比だけでなく、少数比率（１．１対２．２）など、任意の比率を用いてもよい。
【００１６】
（４）
所定の時間比率は、１対１であることが好ましい。
【００１７】
この場合、長日開花植物に対して断続的に刺激を与えることにより抽苔を抑止することができる。
【００１８】
（５）
所定の時間比率は、１対２であることが好ましい。
【００１９】
この場合、長日開花植物に対して断続的に刺激を与えることにより抽苔を抑止することができる。
【００２０】
（６）
点滅制御装置は、照明装置を１秒毎に点灯状態および消灯状態を繰り返すように制御してもよい。
【００２１】
この場合、長日開花植物に対して断続的に刺激を与えることにより抽苔を抑止することができる。
【００２２】
（７）
点滅制御装置は、照明装置を１秒点灯状態にさせた後、２秒消灯状態にする工程を繰り返すように制御してもよい。
【００２３】
この場合、長日開花植物に対して断続的に刺激を与えることにより抽苔を抑止することができる。
【００２４】
（８）
照明装置は、主に波長４００ｎｍ以上４５０ｎｍ以下の光の強度が強いことが好ましく、波長６５０ｎｍ以上７００ｎｍ以下の光の強度が弱いことが好ましい。
【００２５】
この場合、照明装置は、太陽光に多く含まれる赤色光を照射させず、主に青色光を強く照射させることにより、長日開花植物に適切に刺激を与えることができる。
【００２６】
（９）
本発明に係る長日開花植物の開花抑制方法は、日の入りから日の出までの間において、長日開花植物に対して主に青色波長を有する光を所定の時間毎に点灯および消灯を繰り返して照射させるものである。
【００２７】
本発明に係る長日開花植物の開花抑制方法においては、日の入りから日の出までの間において、長日開花植物に対して主に青色波長を有する光を所定の時間毎に点灯および消灯を繰り返して照射させる。
【００２８】
この場合、長日開花植物に対して青色波長を有する光を断続的に照射させることにより、長日開花植物の花がさくこと（抽苔すること）を抑止することができる。その結果、夏場等の日中時間が長い場合においても、抽苔しにくくなるため、長日開花植物の収穫時期が長くなり、栽培に高度な経験と技術とが不要となる。
【発明を実施するための最良の形態】
【００２９】
以下、本発明に係る実施の形態について説明する。
【００３０】
図１は、本発明に係る一実施の形態に係る長日開花植物の開花抑制装置の一例を示す模式的斜視図であり、図２は図１の長日開花植物の開花抑制装置に用いる照明装置の一例を示す模式図である。以下、本実施の形態においては、長日開花植物の開花抑制装置をホウレンソウに使用した場合について説明する。以下、長日開花植物の開花抑制装置をホウレンソウ抽苔抑止装置１００と呼ぶ。
【００３１】
図１に示すように、ホウレンソウ抽苔抑止装置１００は、照明装置１０、パイプ骨組み２０、照明装置支持棒３０、吊り下げ具３１および制御装置３００を備える。
【００３２】
また、ホウレンソウ抽苔抑止装置１００は、図１に示すように、ビニルハウス２００等の内部において使用される。例えば、図１のパイプ骨組み２０は、ビニルハウス２００内において組み立てられ、当該骨組みパイプ２０には、複数の照明装置支持棒３０が架設されている。この複数の照明装置支持棒３０には、吊り下げ具３１が設けられ、吊り下げ具３１により照明装置１０が支持されている。また、制御装置３００は、これらの照明装置１０に対して電力供給を行うとともに、所定の時間間隔での消灯および点灯を制御する。例えば、制御装置３００は、制御装置３００に内蔵されたタイマー（図示せず）により照明装置１０を１秒ごとに点灯および消灯を繰り返させるか、または１秒間点灯させその後２秒間消灯させる工程を繰り返すことができる。
【００３３】
このように、複数の照明装置１０は、ビニルハウス２００内で栽培されている、ホウレンソウに後述する所定の波長の光を所定の時間間隔で照射できる状態で設けられる。なお、本実施の形態においては、骨組みパイプ２０を用いることとしたが、これに限定されず、骨組みパイプ２０の代わりにビニルハウス２００を構成するための骨組みパイプ等を利用してもよい。また、本実施の形態においては、ビニルハウス２００内にホウレンソウ抽苔抑止装置１００について説明したが、これに限定されず、温室、他の栽培部屋または室外の農園等において使用してもよい。さらに、本発明に係る制御装置３００は、特定の制御装置に限定されず、任意の装置、例えば、シーケンサ等を用いてもよい。
【００３４】
次に、図２は図１の照明装置１０の一例を示す模式図である。
【００３５】
図２に示すように、照明装置１０は、ゴムキャップ１１、蛍光灯１２、外筒１３、反射板１４、絶縁紙１５および電源コード１６を含む。
【００３６】
図２の照明装置１０では、蛍光灯１２の周囲に反射板１４が設けられ、蛍光灯１２および反射板１４を包むように外筒１３がもうけられ、外筒１３の一端側にゴムキャップ１１が設けられ、外筒１３の他端側に絶縁紙１５が設けられる。また、蛍光灯１２への電力供給のための電源コード１６が設けられる。
【００３７】
以上の構成に示すように、図２に示す照明装置１０は、耐水性を高めた状態で形成されている。すなわち、図１に示したように、ビニルハウス２００内においては、ホウレンソウ栽培のために自動散水装置等が設けられており、水滴の飛散や湿度による影響があるため、照明装置１０は、防水仕様または耐水仕様の構造により形成されることが好ましい。なお、本実施の形態においては、蛍光灯１２を用いることとしたが、これに限定されず、ダイオード、水銀灯など、他の任意の発光装置を用いることとしてもよい。
【００３８】
（他の例）
次に、図３は、本発明のホウレンソウ抽苔抑止装置１００の他の例を示す模式的斜視図である。
【００３９】
図３に示すように、ホウレンソウ抽苔抑止装置１００ａにおいては、照明装置１０、制御装置３００、支柱４０および太陽電池５０を含む。支柱４０の上端から見て下方に栽培されるホウレンソウに対して所定の波長の光の照射が可能な状態となるように、照明装置１０が設けられ、太陽光を授受できるように太陽電池５０が設けられる。なお、当該太陽電池５０には、蓄電装置が内蔵されている。また、支柱４０の地表近辺には制御装置３００が設けられる。
【００４０】
図３に示す照明装置１０は、図２で示した照明装置１０と同様のものであり、主に太陽電池５０により発電された電力が内部の蓄電装置により蓄電され、照明装置１０の稼動に使用される。例えば、制御装置３００により照明装置１０に太陽電池５０に内蔵された蓄電装置から電力供給がなされ、所定の間隔で所定の波長の光がホウレンソウに照射される。
【００４１】
次に、図４は、図２の蛍光灯１２の波長および強度の関係を示す図である。図４の縦軸は光の強度を示し、図４の横軸は光の波長（ｎｍ）を示す。
【００４２】
図４に示すように蛍光灯１２の最大強度を有する波長帯域は、青色光の波長を示す約４３０ｎｍ以上４５０ｎｍ以下の波長帯域を有する。
【００４３】
さらに、蛍光灯１２においては、赤色光を示す約６３０ｎｍ以上７００ｎｍ以下の波長帯域を有しないことが特徴として挙げられる。すなわち、ホウレンソウの抽苔を抑制するため、太陽光に多く含まれる赤色光を低減させたものである。
【００４４】
以上のように、本発明に係るホウレンソウ抽苔抑止装置または方法によれば、ホウレンソウに対して青色波長を有する光を断続的に照射させることにより、ホウレンソウの花がさくこと（抽苔すること）を抑止することができる。その結果、夏場等の日中時間が長い場合においても、ホウレンソウが抽苔しにくくなるため、夏場においても収穫時期が長くなり、栽培に高度な経験と技術とが不要となる。
【００４５】
また、日の入りから日の出までの間において照明装置１０からホウレンソウに所定の波長の光が照射されるので、太陽光による影響がない状態において、ホウレンソウに対して当該所定の波長の光による刺激を効率良く与えることができる。
【００４６】
続いて、本発明に係るホウレンソウ抽苔抑止装置１００を用いて実験を行った。以下、詳細に説明する。
【００４７】
（実施例１）
図５および図６は、ホウレンソウ抽苔抑止装置１００を用いて実験を行った状態を説明するための模式的説明図である。図６は、図５のＸ−Ｘ線矢視図である。
【００４８】
図５に示すように、実施例１においては、温室内に骨組みパイプ２０を構築し、骨組みパイプ２０に架設された複数の照明装置支持棒３０に吊り下げ具３１を設け、照明装置１０を設けた。照明装置１０は、蛍光灯１２を用いず、青色ＬＥＤ（Light-Emitting Diode）を用いた。
【００４９】
また、図５および図６に示すように、ホウレンソウから照明装置１０までの距離Ｈは、約１３００ｍｍであり、骨組みパイプ２０の幅Ｌ１は１１００ｍｍであり、台座幅Ｌ２は１２００ｍｍであった。
【００５０】
また、図６に示すように、面積７００ｍｍ×１１００ｍｍの領域Ａ内においてホウレンソウを栽培した。実施例に使用したホウレンソウの品種は、アップライトおよびアスパイヤーである。播種は１０月２８日に行い、調査は１２月２４日に行った。なお、実施例１においては、日の入りから日の出まで青色ＬＥＤを連続点灯させた。
【００５１】
（比較例１）
比較例１においては、実施例１と同様に構築し、青色ＬＥＤの代わりに赤色ＬＥＤを設けた。他の条件は、実施例１と同様である。
【００５２】
実施例１および比較例１の測定結果を表１に示す。
【００５３】
【表１】
2007252211.tif 000003
【００５４】
（評価）
表１の結果から、ホウレンソウに照射させる光の波長が、赤色光よりも青色光の方がホウレンソウの抽苔抑止に有効なことがわかった。
【００５５】
（実施例２）
実施例２においては、実施例１と同様に、図５および図６に示すホウレンソウ抽苔抑止装置１００を用いて実験を行った。
【００５６】
実施例２においては、図４の波長特性を有する照明装置１０を用いた。また、図６の面積７００ｍｍ×１１００ｍｍの領域Ａ内においてホウレンソウを栽培した。実施例２に使用したホウレンソウの品種は、アップライトおよびタキシードである。播種は１月２７日に行い、調査は４月５日に行った。なお、実施例２においては、日の入りから日の出まで青色ＬＥＤを１秒ごとに点灯および消灯を繰り返す（以下、Ｐ１と呼ぶ）ように制御した。
【００５７】
（実施例３）
実施例３においては、実施例２と同様に、ホウレンソウ抽苔抑止装置１００を用いて実験を行った。なお、実施例３においては、日の入りから日の出まで青色ＬＥＤを連続点灯させた。
【００５８】
実施例２および実施例３の測定結果を表２に示す。
【００５９】
【表２】
2007252211.tif 000004
【００６０】
（評価）
表２の結果から、ホウレンソウに照射させる光を連続照射させるよりも、パルス照射させた方がホウレンソウの抽苔抑止に有効なことがわかった。
【００６１】
（実施例５）
実施例５においては、実施例２と同様に、ホウレンソウ抽苔抑止装置１００を用いて実験を行った。なお、実施例５においては、制御装置３００により１秒間点灯後、２秒間消灯させる工程（以下Ｐ２と呼ぶ）を繰り返すことによりホウレンソウに所定の光を照射させた。なお、照射時間は、２０時から翌日の６時までである。
【００６２】
また、図６に示すように、面積７００ｍｍ×１１００ｍｍの領域Ａ内においてホウレンソウを栽培した。実施例に使用したホウレンソウの品種は、アスパイヤーである。播種は６月２３日に行い、調査は７月２９日に行った。
【００６３】
（実施例６）
実施例５と同様に、図５および図６に示すホウレンソウ抽苔抑止装置１００を用いて実験を行った。実施例２においては、ホウレンソウ抽苔抑止装置１００の蛍光灯１２の代わりに青色発光ＬＥＤを用いた。その他の条件は、実施例５と同様である。
【００６４】
（実施例７）
実施例６と同様に、図５および図６に示すホウレンソウ抽苔抑止装置１００に青色発光ＬＥＤを適用して実験を行った。実施例７においては、制御装置３００により１秒間毎に点灯および消灯を繰り返す（以下Ｐ１と呼ぶ）ことによりホウレンソウに所定の光を照射させた。その他の条件は、実施例６と同様である。
【００６５】
（比較例２）
実施例３と同様に、図５および図６に示すホウレンソウ抽苔抑止装置１００に赤外線光ＬＥＤを適用して実験を行った。その他の条件は、実施例３と同様である。
【００６６】
（比較例３）
図５および図６に示すホウレンソウ抽苔抑止装置１００を用いず、完全に自然の光のみで実験を行った。
【００６７】
実施例５から実施例７および比較例２，３の測定結果を表３に示す。
【表３】
2007252211.tif 000005
【００６８】
（評価）
実施例５においては、開花率が３０．８％であり、実施例６においては開花率が１２、５％であった。いずれも比較例３（３９．７％）と比較すると、低い値を示している。その結果、抽苔を抑止することができることがわかった。
【００６９】
実施例６および実施例７を比較すると、いずれも開花率が比較例２および３より低くなっており、効果があることがわかった。さらに、実施例６の値が実施例
７の値よりも低いので、制御装置３００によりＰ２のパルス照射の方がＰ１のパルス照射よりも効果があることがわかった。
【００７０】
また、比較例１および比較例２からわかるように、赤外線光ＬＥＤ単独によるホウレンソウへの照射は、開花率を向上させるものであり、当該発明には、用いられないことが好ましいということがわかった。
【００７１】
以上のことより、Ｐ１のパルス照射またはＰ２のパルス照射により、ホウレンソウに対して断続的に刺激を与えることにより抽苔を抑止することができることがわかった。また、照明装置１０は、太陽光に多く含まれる赤色光を照射させず、主に青色光を強く照射させることにより、ホウレンソウに適切に刺激を与えることができることがわかった。
【００７２】
上記一実施の形態においては、照明装置１０が照明装置に相当し、タイマーが計時手段に相当し、制御装置３００が点滅制御装置に相当し、ホウレンソウ抽苔抑止装置１００，１００ａが長日開花植物の開花抑制装置に相当し、Ｐ１の工程が、照明装置を１秒毎に点灯および消灯を繰り返すように制御することに相当し、Ｐ２の工程が、照明装置を１秒点灯させた後、２秒消灯する工程を繰り返すように制御することに相当する。
【００７３】
本発明は、上記の好ましい一実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００７４】
【図１】本発明に係る一実施の形態に係るホウレンソウ抽苔抑止装置の一例を示す模式的斜視図
【図２】図１のホウレンソウ抽苔抑止装置に用いる照明装置の一例を示す模式図
【図３】本発明のホウレンソウ抽苔抑止装置の他の例を示す模式的斜視図
【図４】図２の蛍光灯の波長および強度の関係を示す図
【図５】ホウレンソウ抽苔抑止装置を用いて実験を行った状態を説明するための模式的説明図
【図６】ホウレンソウ抽苔抑止装置を用いて実験を行った状態を説明するための模式的説明図
【符号の説明】
【００７５】
１０  照明装置
３００  制御装置
１００，１００ａ  ホウレンソウ抽苔抑止装置
【図１】
2007252211.tif 000006
【図２】
2007252211.tif 000007
【図３】
2007252211.tif 000008
【図４】
2007252211.tif 000009
【図５】
2007252211.tif 000010
【図６】
2007252211.tif 000011